(57)【要約】【課題】写真立のデザインとして押し花を使用しつつ、その自然の色合いや立体感を長く保つことができ、同じデザインの物が量産できる写真立を提供する。【解決手段】外枠６と、外枠６に収納されて写真３の表面側に配設される、中央部に開口部１ｅを有する印刷紙１ｂ及びその裏当て紙１ｃと、外枠６に収納されて写真３の裏面側に配設される裏面側紙製部材２及び裏面側木製部材４を備えており、印刷紙１ｂの表面に施されたデザインは、押し花を直接スキャナーでスキャンして得られたデータにより押し花の画像１ａが印刷されたものである。【選択図】図２
0003195327.tif 000002
【実用新案登録請求の範囲】
【請求項１】
写真立であって、
外枠と、
該外枠に収納されて写真の表面側に配設される、中央部に開口部を有する表面側の平板状部材と、
上記外枠に収納されて写真の裏面側に配設される裏面側の平板状部材と、
を備え、
上記表面側の平板状部材の表面に施されたデザインは、押し花を直接スキャナーでスキャンして得られたデータにより印刷されたものである、
ことを特徴とする押し花がデザインされた写真立。
【請求項２】
上記表面側の平板状部材は紙製であることを特徴とする、請求項１に記載の押し花がデザインされた写真立。
【考案の詳細な説明】
【技術分野】
【０００１】
本考案は、写真立に関する。
【背景技術】
【０００２】
写真を飾るために用いられる写真立には、木製、紙製、プラスチック製等様々の材質のものがある。さらに、無地の写真立とともに様々のデザインの施された写真立があり、主役の写真の雰囲気を演出するのに一役買っている。
【０００３】
花をデザインした写真立も数多く作成されているが、花の場合多くは絵画や写真がデザインとして用いられている。自然の花をデザインとして表現しようとしてドライフラワーや、押し花を使用するものもある。
【０００４】
ドライフラワーは本物の花に似せた造花であるため、自然の花を直接使用したデザインとしては押し花が唯一の手段といってもよく、写真立として他のデザインでは得られない独特の風合を有している。
【０００５】
特許文献１には写真入りの加工花記念置物が記載されている。これは密閉容器内に加工花と写真立を構成し、長期間の保存ができる記念置物である。
【先行技術文献】
【特許文献】
【０００６】
【特許文献１】実用新案登録第３１６６４３２号公報
【考案の概要】
【考案が解決しようとする課題】
【０００７】
しかしながら、特許文献１の写真立では加工花を使用しているため、自然の花の色合いや雰囲気を表現することはできない。さらに、良いデザインの物であっても同一デザインの物を量産することはできない。
【０００８】
本考案は上記問題点に鑑み、写真立のデザインとして押し花を使用しつつ、その自然の色合いを長く保つことができ、しかも同じデザインの物が量産できる写真立を提供することを課題とする。  
【課題を解決するための手段】
【０００９】
上記課題を解決するために、請求項１の考案は、写真立であって、外枠と、外枠に収納されて写真の表面側に配設される、中央部に開口部を有する表面側の平板状部材と、外枠に収納されて写真の裏面側に配設される裏面側の平板状部材と
を備え、表面側の平板状部材の表面に施されたデザインが、押し花を直接スキャナーでスキャンして得られたデータにより印刷されたものであることを特徴とする。
請求項２の考案は、さらに、表面側の平板状部材は紙製であることを特徴とする。
【考案の効果】
【００１０】
本考案の押し花がデザインされた写真立はデザインとして押し花を使用しているが、スキャンされたデータであるためその自然の色合いを長く保つことができる。また、同じデザインの物が量産できるため、人気のあるデザインについては多くの数量の写真立を等品質にて提供することができる。
【図面の簡単な説明】
【００１１】
【図１】本考案の一実施形態を示す押し花がデザインされた写真立の模式図である。
【図２】図１のＡ−Ａ断面図である。
【考案を実施するための形態】
【００１２】
以下、本考案の押し花がデザインされた写真立の実施形態について図を用いて説明する。まず構成について説明する。
【００１３】
本実施形態の写真立１０は図１と、そのＡ−Ａ断面図である図２に示すように、外枠６と、外枠６に収納されて写真３の表面側に配設される、中央部に開口部１ｅを有する印刷紙１ｂ及びその裏当て紙１ｃと、外枠６に収納されて写真３の裏面側に配設される裏面側紙製部材２及び裏面側木製部材４を備えており、印刷紙１ｂの表面に施されたデザインは、押し花を直接スキャナーでスキャンして得られたデータにより押し花の画像１ａが印刷されたものである。
【００１４】
印刷紙１ｂ及びその裏当て紙１ｃは接着剤で貼り付けられており、そのさらに前面には保護用のガラス板５が外枠６内に挿入されている。写真３を縁どる開口部１ｅの外縁には飾り紐１ｄが施されている。以上説明したように、外枠６内には全面からガラス板５、印刷紙１ｂ、裏当て紙１ｃ、写真３、裏面側紙製部材２及び裏面側木製部材４が挿入されており、これらが外枠６の裏面のストッパー６により固定されている。
【００１５】
つぎに、本実施形態の特徴である、押し花をスキャナーでスキャンする方法について説明する。
通常の作成法で作られた押し花をパソコン等のスキャナーに直接押し当ててスキャンしてデータ化する。これにより、実際の押し花の色鮮やかさや立体感をデータとして残すことができる。
【００１６】
データ化された押し花のデータにより印刷紙１ｂに印刷した押し花の画像１ａは、自然のままの最も美しい色合いが長く保たれることとなる。これは、自然の押し花を使用したデザインでは時間とともに変色してしまうために実現不可能であった。
【００１７】
この方法でデザインされる押し花としては、花自体の厚みや色合いによって適不適があり、現在以下の物が用いられている。すなわち、クリスマスローズ（黄）、クリスマスローズ（赤）、ビオラ２、ビオラ４、アジサイ、桜、紫、チドリ、メラスフェルラ（黄）等である。
【００１８】
本実施形態の押し花がデザインされた写真立は、デザインされた押し花が本物の押し花の色合いや立体感を備えており、一見本物と見間違えるほどであるため、手で触れてみないとこれが印刷されたものと分からないほどである。写真では色合いや立体感を本物に近く再現することはできない。押し花を直接スキャナーでスキャンするという、従来にない方法で作成されているからこその効果といえる。
【００１９】
本実施形態の他の実施例として、写真立より大型の写真額について上記写真立と同様の構成としたものがある。この実施例の写真額は押し花をスキャンして得られたデータにより、大型の印刷紙１ｂに押し花の画像１ａを印刷したものである。このように、本考案の写真立のデザインは上記データを組み合わせたり、拡大・縮小印刷して印刷紙１ｂの各種サイズに容易に対応させることができるため、小さな写真立から大きな写真額まで種々のサイズや形状の物を提供することが可能である。
【００２０】
以上説明したように、本考案により、自然の押し花の風合、色合いや立体感を長く保つデザインとすることができ、しかも量産することができるため、同一のデザインの写真立を安価に提供することが可能となる。
【符号の説明】
【００２１】
１ａ  押し花の画像
１ｂ  印刷紙
１ｃ  裏当て紙
１ｄ  飾り紐
１ｅ  開口部
２    裏面側紙製部材
３    写真
４    裏面側木製部材
５    ガラス板
６    外枠
６ａ  ストッパー
１０  写真立
【図１】
0003195327.tif 000003
【図２】
0003195327.tif 000004